(57)【特許請求の範囲】
【請求項１】
ブラシ毛および／または歯と柄とを有する振動発生ヘッドを備える振動発生グルーミング装置であって、振動発生ヘッドがモータおよび振動マスを備え、振動マスが、ブラシ毛または歯が延びる方向に対して直角である振動軸に沿って線形に振動するように配置され、ヘッドが、一端で振動マスに、他端でオフセットピンを取付けた冠歯車に連結されている保持具を備えており、冠歯車がモータ駆動シャフトを係合し、振動運動が２０から２００Ｈｚであり、
当該装置が、
グルーミングヘッドがその長手方向軸を中心として回転するのを防止するために、振動発生ヘッドを柄に対して安定化させる手段と、
グルーミングヘッドが振動軸に沿う以外の任意の方向に平行移動するのを防止するために、グルーミングヘッドを柄に対して安定化させる手段と、
を具備し、
柄がコアとシースとを備えており、シースが振動減衰手段によってコアに連結されている、振動発生グルーミング装置。
【請求項２】
コアが電源装置のためのハウジングを備えている、請求項１に記載の装置。
【請求項３】
保持具が、その端部間に、固定ブッシュを貫通するシャフトを備えている、請求項２に記載の装置。
【請求項４】
振動運動の振動数が３０から５０Ｈｚである、請求項１から３のいずれか一項に記載の装置。
【発明の詳細な説明】
【技術分野】
【０００１】
本発明は、振動発生グルーミング装置に関する。
【発明の概要】
【発明が解決しようとする課題】
【０００２】
先行技術にもかかわらず、髪の毛をほぐす改良されたグルーミング器具の必要性が残っている。
【課題を解決するための手段】
【０００３】
本発明は、ブラシ毛および／または歯と柄とを有する振動発生ヘッドを備える振動発生グルーミング装置を提供し、振動発生ヘッドはモータおよび振動体を備え、線形に振動するように配置されている振動体によって特徴づけられる。
【０００４】
振動体は、振動軸に沿って振動する。好ましくは、振動軸は、ブラシ毛または歯が延びる方向に対して直角である。好ましくは、振動軸は、柄の軸に対して平行である。ブラシ毛または歯が延びる方向は、ブラシ毛および／または歯がこれらの基部からこれらのそれぞれの先端部まで延びる方向である。
【０００５】
グルーミング装置は、櫛、ブラシ、または他のかかるグルーミング装置である。これは、ブラシ毛および／または歯を備える。ブラシ毛および／または歯は、装置ヘッドにあるブラシ毛／歯が延びる表面から延びている。この表面は、平坦でもよく、あるいは湾曲していてもよい。装置ヘッドはまた、円筒状であり、かつそこから半径方向に延びるブラシ毛およびまたは歯を有する、ブラシ毛／歯が延びる表面を含んでもよい。
【０００６】
好ましくは、振動軸は、モータ駆動シャフト軸とほぼ同軸である、すなわちほぼ位置合わせされている。モータ駆動シャフト軸は、これを中心にモータの駆動シャフトが使用中に回転する軸である。好ましくは、モータ駆動シャフト軸は、全体的なブラシ毛／歯が延びる方向に対してほぼ直角である。
【０００７】
振動体は、モータ駆動シャフト軸とほぼ同軸に、すなわちほぼ平行に振動するように配置されている。これは、振動体が使用中にモータに向かったり離れたりして線形に振動し、したがって、ブラシ毛／歯の端部が楕円形または円形とは対照的にほぼ線形に振動するような方法で、ブラシヘッドを振動させることを意味する。
【０００８】
好ましくは、柄がコアとシースとを備えており、シースは振動減衰手段によってコアに連結されている。典型的な振動減衰手段は、ベローズ、ばね、弾性のブッシュ、およびそれらの組み合わせを含む。
【０００９】
柄のコアは、柄のシース内で線形に振動する。これは使用中に保持される柄のシースであるので、このことによって、ユーザが使用中に過剰な振動を受けるのを防止する。
【００１０】
好ましくは、コアが電源装置を収容する。電源装置は、好ましくは再充電可能な電池を備える。
【００１１】
好ましくは、ヘッドが、一端で振動マスに、他端でピンを取付けた冠歯車に連結されている保持具を備えており、冠歯車はモータ駆動シャフトに取付けられている。冠歯車は、平歯車によって駆動シャフトに連結されてもよい。
【００１２】
好ましくは、保持具が、その端部間に、固定ブッシュを貫通するシャフトを備える。固定ブッシュは、保持具のシャフトが貫通するように寸法取りされた開口部または溝を含んでもよく、したがって、保持具の非線形運動を規制し、その結果、振動体の線形の往復運動をもたらす。
【００１３】
好ましくは、装置は、グルーミングヘッドがその長手方向軸を中心として回転するのを防止するために、振動発生ヘッドを柄に対して安定化させる手段を備えている。典型的な手段は、柄の振動発生ヘッドと非振動発生部との間に、協動するラグおよび溝の構成を含む。
【００１４】
好ましくは、装置は、グルーミングヘッドが振動シャフトに沿う以外の任意の方向に平行移動するのを防止するために、グルーミングヘッドを柄に対して安定化させる手段を備えている。典型的な手段は、柄の振動発生ヘッドと非振動発生部との間に、協動するラグおよび溝の構成を含む。
好ましくは、装置の振動運動が２０から２００Ｈｚである。
好ましくは、装置の振動運動の振動数が３０から５０Ｈｚである。
【００１５】
本発明の実施形態は、ここで以下の限定されない図面を参照して記載される。
【図面の簡単な説明】
【００１６】
【図１】コーミングヘッド１および柄２を備える振動発生櫛を示している。
【図２】図１に示すものと類似している代替実施形態を示している。
【図３】図１および図２に示したカムの構成の平面図を示している。
【発明を実施するための形態】
【００１７】
図１は、コーミングヘッド１および柄２を備える振動発生櫛を示す図である。コーミングヘッド１は、髪の毛をとかすための歯３の配列を備えている。
【００１８】
柄２は、２つの部分、すなわち、内側部分と外側部分とから成る。外側部分は、使用中に保持され、柄が使用中に極端に振動しないように、ヘッドの振動発生部に固定して取付けられている内側部分から分離した部分である。
【００１９】
内側部分は、安定化用のブッシュ７の開口部内で保持されているピン１６によって柄の内部で一端を安定化されているハウジング５に維持される、電池４を備えている。ハウジングは、柄の外側部分の内遠端に固定されているばね８によって、さらに安定化されており、振動発生部と柄２との間の振動を減衰させる。
【００２０】
この装置のヘッド１は、使用中に駆動シャフト１８を回転させるモータ１０を備えている。駆動シャフト１８は、平歯車１７に取付けられている。平歯車１８は、側面が見えている冠歯車１２と接触している。したがって、駆動シャフトと平歯車とがこれらの軸を中心として回転する場合、冠歯車はそれ自体の平面内で回転する。冠歯車１２は、冠歯車が回転するにつれて回転するピン１３を有する。ピンの頂部が保持具１４の溝孔内に配置されており、ピン１３が回転するにつれて、モータに向かって、ついでモータから離れて保持具１４を引く。保持具１４のシャフトは、安定化用のブッシュ１５の開口部内に配置されており、保持具の側方位置を維持するので、保持具１４の端部で本体１１による往復運動だけできるようになる。したがって、モータ１０が作動するにつれて、駆動シャフト１８がその軸を中心として回転し、冠歯車１２もまたその軸を中心として回転する。保持具１４、したがって本体１１は、線形の様式でモータ１０に向かって引っ張られ、モータ１０から離れて押される。
【００２１】
図２は、図１に示すものと類似しているが、本実施形態において振動を減衰させるばねの代わりに、柄の非振動発生部に振動発生部を固定する弾性のベローズが存在する代替実施形態を示している。
【００２２】
図１に示すように、図２は、ヘッドの振動発生部と内側の柄５の振動部との間にある、協動する嵌め込み形のスプラインの構成を示している。
【００２３】
図３は、図１および図２に示したカムの構成の平面図を示している。モータ１０は、平歯車１７に固定されている駆動シャフト１８を回転させる。平歯車１７は、冠歯車１２と係合している。冠歯車１２が回転するにつれて、ピン１３もまた同じ軸を中心として回転し、冠歯車１２が回転するにつれて、保持具１４をモータ１０に向かって、ついでモータ１０から離れて引っ張る。保持具１４は、安定化用のブッシュ１５の開口部によって側方から維持され、したがって、本体１１が線形にモータに向かって、かつモータから離れて移動するので、装置のヘッドが振動する。
【図１】
0005798324.tif 000002
【図２】
0005798324.tif 000003
【図３】
0005798324.tif 000004